(57)【要約】 【課題】ファインダによるフレーミングが行なわれた後、リモコン操作が行なわれるまでの間中、被写体側の人がフレームインしていることを確認することができる撮影システムを提供する。  【解決手段】デジタルカメラ１が三脚にセットされモードダイヤル１０５がリモコン撮影モードに切り替えられたときに、発光部１１が備えるＬＥＤから発光される照明光が変調されて可視光通信により携帯電話機２００に向けて位置情報が送信される。携帯電話機２００は、その位置情報を受けて表示画面２１１上に人の位置を表示する。【選択図】  図１
2008098832.tif 000002
【特許請求の範囲】
【請求項１】
被写体を捉えて画像データを生成する撮影手段と、画像データに基づいて画角内の人数を検出する検出手段と、該検出手段で検出した人数を表わす人数情報を送信する送信手段とを備えた撮影装置、および
前記撮影装置から送信されてきた人数情報を受信する受信手段と、該受信手段で受信した人数情報に基づいて人数を表示する表示手段とを備えた携帯機器を具備することを特徴とする撮影システム。
【請求項２】
被写体を捉えて画像データを生成する撮影手段と、画像データに基づいて画角内の人の位置を検出する検出手段と、該検出手段で検出した画角内の人の位置を表わす位置情報を送信する送信手段とを備えた撮影装置、および
前記撮影装置から送信されてきた位置情報を受信する受信手段と、該受信手段で受信した位置情報に基づいて画角内の人の位置を表示する表示手段とを備えた携帯機器を具備することを特徴とする撮影システム。
【請求項３】
前記検出手段は、画角内を分割した複数の領域のうちの人の顔が存在する領域を検出することにより画角内の人の位置を検出するものであり、
前記表示手段は、前記受信手段で受信した位置情報に基づいて、画角内の人の顔が存在する領域に対応する表示画面上の領域に、人が顔が存在することを表示するものであることを特徴とする請求項２記載の撮影システム。
【請求項４】
前記撮影装置が、被写体を照明する照明手段を備え、
前記送信手段は、前記照明手段に、情報に応じて変調された照明光を照射させることにより情報を送信するものであり、
前記受信手段は、前記照明手段からの照明光を受けて該照明光に含まれる情報を抽出するものであることを特徴とする請求項１又は２記載の撮影システム。
【請求項５】
前記撮影装置が、ピントを自動調整するオートフォース手段を備え、
前記照明手段が、ピント調整用の照明光を照射するＡＦ補助光発光手段であることを特徴とする請求項４記載の撮影システム。
【請求項６】
前記送信手段は、赤外線発光部を備え、該赤外線発光部から情報に応じて変調された赤外線を発光することにより情報を送信するものであり、
前記受信手段は、前記赤外線発光部で発光された赤外線を受けて該赤外線に含まれる情報を抽出するものであることを特徴とする請求項１又は２記載の撮影システム。
【発明の詳細な説明】
【技術分野】
【０００１】
被写体を捉えて画像データを生成する、通信機能を備えた撮影装置、およびその撮影装置の通信機能により送信されてきたデータを受信する受信機を備えた携帯機器を具備する撮影システムに関する。
【背景技術】
【０００２】
従来より撮影装置には遠隔操作用のリモコンが配備されたものがある（例えば特許文献１参照）。また、近年においては撮影装置や携帯電話機等に無線の通信装置が備えられていることが多いことを利用して携帯電話機等の携帯機器を撮影装置のリモコンとして利用する技術が提案されている（例えば特許文献２参照）。
【０００３】
ところで、リモコンから撮影開始の合図を送って撮影を行なうときには、被写体にもなる撮影者が、撮影装置が備えるファインダによってフレーミングを定めてから被写体になってリモコンを操作して撮影を行なうことが多い。このため、集合写真等の撮影においては稀にフレーミング時には画角内にいた人が撮影時に画角からフレームアウトしてしまうことがある。
【特許文献１】特開２００１−３４６０８８号公報
【特許文献２】特開２００４−９６１６５号公報
【発明の開示】
【発明が解決しようとする課題】
【０００４】
本発明は、上記事情に鑑みて、ファインダによるフレーミングが行なわれた後、リモコン操作が行なわれるまでの間中、被写体側の人がフレームインしていることを確認することができる撮影システムを提供することを目的とする。
【課題を解決するための手段】
【０００５】
上記目的を達成する本発明の第１の撮影システムは、被写体を捉えて画像データを生成する撮影手段と、画像データに基づいて画角内の人数を検出する検出手段と、その検出手段で検出した人数を表わす人数情報を送信する送信手段とを備えた撮影装置、および
上記撮影装置から送信されてきた人数情報を受信する受信手段と、その受信手段で受信した人数情報に基づいて人数を表示する表示手段とを備えた携帯機器を具備することを特徴とする。
【０００６】
上記本発明の第１の撮影システムによれば、上記撮影装置が備える上記検出手段により検出された画角内の人数を表わす人数情報が、上記送信手段により上記携帯機器に送信される。送信されてきた人数情報が上記携帯機器の上記受信手段によって受信され受信された人数情報に基づいて上記携帯機器が備える上記表示手段により被写体の人の人数が表示画面上に表示される。
【０００７】
例えば集合写真の撮影が行なわれるときの被写体側のそれぞれの人が上記携帯機器を持っていれば、被写体である各自が、撮影前に撮影人数を確認することができる。また、集合写真の撮影が行なわれるときの被写体側の人のうちの一人が上記携帯機器を持っていれば、その人が撮影前に撮影人数を確認してフレームアウトしている人を画角内に誘導することもできる。
【０００８】
こうして被写体側の人すべてが画角内にいることが被写体側の人それぞれあるいは少なくとも一人の人に確認されたら、例えば特許文献２の技術を用いて携帯機器をリモコンとして用いて撮影開始の合図を送って撮影を行なえば良い。
【０００９】
上記目的を達成する上記第２の本発明の撮影システムは、被写体を捉えて画像データを生成する撮影手段と、画像データに基づいて画角内の人の位置を検出する検出手段と、その検出手段で検出した画角内の人の位置を表わす位置情報を送信する送信手段とを備えた撮影装置、および
上記撮影装置から送信されてきた位置情報を受信する受信手段と、その受信手段で受信した位置情報に基づいて画角内の人の位置を表示する表示手段とを備えた携帯機器を具備することを特徴とする。
【００１０】
上記本発明の第２の撮影システムによれば、上記撮影装置が備える上記検出手段により検出された画角内の人の位置を表わす位置情報が、上記送信手段により上記携帯機器に送信される。送信されてきた位置情報が上記携帯機器の上記受信手段によって受信され受信された位置情報に基づいて上記携帯機器が備える上記表示手段により被写体の位置が表示画面上に表示される。
【００１１】
上記第２の撮影システムの様に被写体側の人それぞれの位置を表わす位置情報が上記携帯機器に送信されても、上記本発明の第１の撮影システムと同等の効果が得られる。
【００１２】
ここで、上記検出手段は、画角内を分割した複数の領域のうちの人の顔が存在する領域を検出することにより画角内の人の位置を検出するものであり、
上記表示手段は、上記受信手段で受信した位置情報に基づいて、画角内の人の顔が存在する領域に対応する表示画面上の領域に、人が顔が存在することを表示するものであることが好ましい。
【００１３】
撮影前に被写体側の人の位置を表わす情報が被写体側の人に送信されるので、短時間のうちにデータが送信される様にデータ量はなるべく少なく、有効な情報であることが望まれる。ここでは、画角内の人の概略位置が検出されれば良いので、画角内を複数の領域に分割して各領域ごとに顔があるかどうかを検出することで検出処理に要する時間を短縮して画角内にいるかどうかの情報を被写体側の人に伝える様にしておくと良い。
【００１４】
また、上記本発明の撮影装置が、被写体を照明する照明手段を備え、
上記送信手段は、上記照明手段に、情報に応じて変調された照明光を照射させることにより情報を送信するものであり、
上記受信手段は、上記照明手段からの照明光を受けてその照明光に含まれる情報を抽出するものであることが好ましい。
【００１５】
最近照明手段にＬＥＤ等の半導体素子が備えられていることがあるので、そのＬＥＤを活用して可視光通信により情報を送信しても良い。携帯機器側にはその可視光通信により送信されてきた情報を受信することができる受信機を配備しておけば良い。
【００１６】
ここで、上記撮影装置が、ピントを自動調整するオートフォース手段を備え、
上記照明手段が、ピント調整用の照明光を照射するＡＦ補助光発光手段であっても良い。
【００１７】
また上記送信手段は、赤外線発光部を備え、その赤外線発光部から情報に応じて変調された赤外線を発光することにより情報を送信するものであり、
上記受信手段は、上記赤外線発光部で発光された赤外線を受けてその赤外線に含まれる情報を抽出するものであっても良い。
【００１８】
最近の携帯機器においては、ＩｒＤＡ規格に準拠した赤外線通信装置を備えたものが多い。携帯電話機と撮影装置との双方にＩｒＤＡ規格に準拠した赤外線通信装置が配備されている場合には、その赤外線通信装置の中の上記赤外線発光部を用いて送信を行なっても良い。
【発明の効果】
【００１９】
以上、説明したように、ファインダによるフレーミングが行なわれた後、リモコン操作が行なわれるまでの間中、被写体側の人がフレームインしていることを確認することができる撮影システムが実現する。
【発明を実施するための最良の形態】
【００２０】
以下図面を参照して本発明の実施の形態を説明する。
【００２１】
図１は本発明の一実施形態である撮影システムを説明する図である。
【００２２】
図１に示す撮影システムは撮影装置であるデジタルカメラ１と携帯機器である携帯電話機２００とで構成される。
【００２３】
まず、デジタルカメラ１の構成を簡単に説明する。
【００２４】
図１に示すデジタルカメラ１にはレンズ鏡胴１００が備えられており、そのレンズ鏡胴１００内には撮影レンズが内蔵されている。またカメラボディの上面には撮影補助光発光用の発光部１１が備えられている。詳細は後述するが、その発光部１１には後述する可視光送信部が配備されており、その発光部１１からは撮影補助光の他に、撮影前に撮影装置が備える撮影レンズが捉える画角内の人すべての位置を表わす位置情報に応じて変調された照明光も照射される。なお図１には、レリーズボタン１０４やモードダイヤル１０５や単写・連写切替スイッチ１０６なども図示されている。また本実施形態のモードダイヤル１０５には、切替項目の中に静止画撮影モードや動画撮影モードに加えてリモート撮影モードというモードが付加されている。このリモード撮影モードが選択されると、後述する照明光が撮影前に照射される。
【００２５】
一方、携帯機器の一例である携帯電話機２００には、上記発光部１１から照射された照明光に含まれる位置情報を抽出する可視光受光部が配備されていてその可視光受光部でデジタルカメラ１から送信されてきた位置情報が抽出されその携帯電話機２００が備える表示画面２１１上にデジタルカメラ１から送信されてきた画角内の被写体側の人すべての位置情報に基づく位置が表示される。
【００２６】
図２は図１のデジタルカメラ１の内部の構成を示す構成ブロック図である。また、図３は、システム制御回路１１０が行なう画角内に在る顔の位置検出の処理の概要を説明する図である。
【００２７】
図２を参照してデジタルカメラ１内部の構成を説明する。
【００２８】
本実施形態のデジタルカメラ１ではすべての処理がシステム制御回路１１０によって制御されている。このシステム制御回路１１０の入力部には図１に示したレリーズボタン１０４、モードダイヤル１０５，単写／連写切替スイッチ１０６等の操作子が接続されていてそれらの操作子のうちのいずれかの操作により操作信号がこのシステム制御回路１１０に供給されてくると、それらの操作子のうちの少なくとも一つの操作に応じた処理が開始される。
【００２９】
また図２には示していないが、本実施形態のデジタルカメラ１は、着脱自在な記憶媒体８００例えばメモリカードが媒体装填室１００Ａに装着されてその媒体装填室１００Ａに装填されたメモリカード８００に撮影画像を表わす画像データが記録されるようになっているので、記憶媒体であるメモリカードが媒体装填室１００Ａ内に装着されているかどうかを検知するための記憶媒体着脱検知手段１０８が備えられている。さらに図１には図示されていないが、背面側には画像表示ＯＮ／ＯＦＦスイッチ１０７や背面側に備えられている表示画面の表面を覆って保護するための防護用扉の開閉を検知する画像表示手段開閉検知手段１０９も備えられている。これらの記憶媒体着脱検知手段１０８や画像表示ＯＮ／ＯＦＦスイッチ１０７や画像表示手段開閉検知手段１０９それぞれからの信号もシステム制御回路１１０に供給されるようになっていてシステム制御回路１１０はそれらの信号を受けて適宜処理を実行するようにもなっている。なおシステム制御回路１１０は、不図示のズームスイッチの操作に応じてもズーム制御手段１０２０に指示して撮影レンズ１０２１の中のズームレンズを移動させている。
【００３０】
またシステム制御回路１１０では、ＣＣＤ固体撮像素子１２０で生成された画像データに基づいてシステム制御回路１１０によりＴＴＬ測距とともにＴＴＬ測光が行なわれている。このＴＴＬ測光の測光結果に応じては、システム制御回路１１０は、露光制御手段１０４０に指示してその露光制御手段に絞り１０４１の開口を調節させたり、さらに撮影時においては測光結果に基づいて発光量制御手段１１２Ａに指示してその発光量制御手段１１２Ａの制御の下にＬＥＤ駆動回路１１３にＬＥＤ１１４を駆動させることにより所定の発光量でＬＥＤ１１４から撮影補助光を被写体に向けて照射させたりする。また、本実施形態においては、ＴＴＬ測距がシステム制御回路１１０により行なわれているときにシステム制御回路１１０が発光部１１にピント調整用の照明光を照射させてもいる。本実施形態においては発光部１１によって本発明にいう照明手段の一例が構成されている。
【００３１】
さらにシステム制御回路１１０内には、ホワイトバランス調整部やγ補正部やＹＣ変換部等も設けられていて色温度検出回路１４１で検出された色温度に基づいてホワイトバランス調整部でホワイトバランス調整が行なわれたり、画像表示部１５０が備える表示画面の表示仕様に適した信号にするためにγ補正部でγ補正が行なわれたり、さらにγ補正が行なわれた後のＲ、Ｇ、Ｂの各色信号がどのような表示部によっても表示される様にＹＣ変換部でＹＣ信号に変換されたりしている。
【００３２】
また本実施形態においては、通信手段１１６が備えられていてその通信手段１１６がシステム制御回路１１０の制御の下に発光量制御手段１１２Ａに指示してＬＥＤ１１４を点滅させることにより照明光を変調して情報を送信する可視光通信を使って撮影前に被写体側の人の位置を表わす位置情報を携帯電話機２００（図１参照）に向けて送信することができる様にしている。
【００３３】
この様にしておくと、例えばデジタルカメラ１を三脚等にセットして集合写真を撮影するときにモードダイヤル１０５をリモート撮影モードに切り替えてファインダを覗いてフレーミングを定めた後携帯電話機２００側から撮影開始の合図が送信されてくるまでの間中、図１に示す携帯電話機２００を所持している被写体側の人に対して被写体側の人すべてが画角内に入っているかどうかを通知することができる。つまり、本実施形態においては、通信手段１６１と上述の照明手段でもある上記発光部１１とによって本発明にいう送信手段の一例が構成されている。
【００３４】
ここで、まず図２を参照してこのデジタルカメラの動作の概要を説明する。
【００３５】
まずデジタルカメラ１の電源スイッチ（不図示）が投入されると、不揮発性メモリ１１０Ａ内の全体処理プログラムの手順にしたがってシステム制御回路１１０によりこのデジタルカメラ１００全体の動作が統括的に制御され撮影処理が開始される。その不揮発性メモリ１１０Ａの他にこの撮影処理が行なわれているときのフラグや処理変数などが一時記憶されるメモリ１１０Ｂも配備されている。
【００３６】
また、この例では電池Ｂｔの消費電力を抑制するためにデジタルカメラ１の電源スイッチが投入されシステム制御回路１１０（システム制御回路１１０には電池Ｂｔからの電力が常に供給されている）により電源スイッチが投入されたことが検知されたときに初めて電池Ｂｔから電源制御手段１１１ｂを介して各ブロックに電力が供給されるようになっている。
【００３７】
まず、このように各ブロックに電力が供給されて動作状態になったデジタルカメラ１の構成および動作を、図２を参照して簡単に説明する。
【００３８】
図２に示すように、図１に示すレンズ鏡胴１００内にはフォーカスレンズやズームレンズといった撮影レンズ１０２１、さらに光量調節用の絞り１０４１などが配備されている。またこの例においてはレンズを保護するレンズバリア１０１１が配備されている例が示されており、電源スイッチが投入されるとそのレンズバリア１０１１が解放されて図１に示すようにレンズ鏡胴が繰り出され撮影レンズ１０２１が表面に露出する構成になっている。
【００３９】
この電源スイッチが投入されたときにモードダイヤル１０５が撮影側に切り替えられていた場合には、まず表面に露出した撮影レンズ１０２１を通ってＣＣＤ固体撮影素子１２０に結像された被写体像が、タイミング発生回路１２１からのタイミング信号に基づいて所定の間隔ごと（例えば１６．５ｍｓごと）に間引かれてＡ／Ｄ変換回路１３０へと出力される。その出力された画像データがＡ／Ｄ変換回路１３０でアナログの画像データからデジタルの画像データに変換されさらにデジタルの画像データがメモリ制御部１１１ａの制御の下に画像処理回路１４０に導かれてこの画像処理回路１４０でＲＧＢの画像データがそれぞれＲ色信号、Ｇ色信号、Ｂ色信号に分離される。さらにＲ色信号，Ｇ色信号，Ｂ色信号それぞれに分離された各色信号がメモリ制御部１１１ａの制御の下にバスを介してシステム制御回路１１０や色温度検出回路１４１に導かれる。その色温度検出回路１４１で検出された色温度の情報がシステム制御回路１１０に供給されてシステム制御回路１１０内のホワイトバランス調整部でホワイトバランスが調整される。
【００４０】
さらにホワイトバランス部でホワイトバランスが調整された後、このデジタルカメラ１が備える表示画面１５０１(図１参照)上に表示することができる様にシステム制御回路１１０内のγ補正部でγ補正が行なわれ、さらにＹＣ変換部でＹＣ信号への変換が行われた後、そのＹＣ信号が画像表示メモリ１５１内に記憶される。こうしてこの画像表示メモリ１５１内に記憶された１フレーム分のＹＣ信号がメモリ制御部１１１ａの制御の下に読み出されてＤ／Ａ変換回路１６０に導かれアナログの画像データに変換されてから画像表示部１５０に供給される。  
【００４１】
この例では、画像表示部１５０に所定の間隔ごとに新しい画像データを供給することができるようにするために画像表示メモリ１５１を設けて、その画像表示メモリ１５１に少なくとも２フレーム分の画像データを記憶することにより画像表示部１５０への画像データの供給タイミングをうまく調整することができるようにして所定の間隔ごとに画像が繋がる様に切り替えられて成る動画像の表示を可能ならしめている。
【００４２】
ここで、本実施形態のデジタルカメラ１には、リモコン受信手段１１８が備えられており、図１に示す携帯電話機２００が備えるリモコン送信部（後述する）から撮影開始の合図が送信されてきたときにはそのリモコン受信手段１１８で撮影開始の合図が受信され受信された合図に応じてシステム制御回路１１０の制御の下に撮影処理が開始される。本実施形態のデジタルカメラ１では、上述したようにモードダイヤル１０５によりリモート撮影モードが選択されデジタルカメラ１がセットされたときからその撮影開始の合図が送信されてくるまでの間中、上記撮影レンズ１０２１が捉えている画角内の人の位置を表わす位置情報で発光部１１が備えるＬＥＤから照射される照明光が変調され変調された照明光が被写体に向けて照射され続ける。このため、本実施形態の撮影システムにおいては、集合写真撮影時の被写体側の人達は、自分の所持している携帯電話機２００でデジタルカメラ側からの照明光を受光することにより表示画面２１１上で被写体側の人達それぞれが画角内に入っているかどうかを撮影前に確認することができる。
【００４３】
この図１、図２に示すデジタルカメラ１が撮影レンズが捉えている画角内の位置を検出するにあたっては、顔検出手段１４２をデジタルカメラ１内部に配備してその顔検出手段１４２で人の顔を検出することにより人の位置を検出している。そして顔検出手段１４２により人の顔が検出されると、検出された顔のある位置座標がシステム制御回路１１０に供給されシステム制御回路１１０が、図３に示す分割領域中のどの領域内に位置情報があるかどうかを定めて通信手段１１６に供給し、その通信手段１１６に発光量制御手段１１２Ａの制御の下にＬＥＤ駆動回路１１３のオンオフを制御させることにより位置情報で変調した照明光を被写体に向けて照射させている。
【００４４】
図３は、システム制御回路１１０が、人の位置を検出するときの処理内容を説明する図である。
【００４５】
上述した様にシステム制御回路１１０は、正確な人の位置を認識する必要はなく、画角内にいるかどうかのみを検出すれば良いので、図３に示す様に画角内を３０領域に分割して顔検出手段１４２からの位置座標がどの分割領域の中にあるか、また画枠内にあるかどうかの判定のみを行なっている。こうしておくと、処理が簡素化され短時間のうちに処理が終了する。
【００４６】
こうしてシステム制御回路１１０で各分割領域内に顔があるかどうかの判定が行なわれた後、その位置を表わす位置情報が通信手段１１６に供給され通信手段１１６で位置情報で照明光が変調され変調された照明光が被写体に向けて照射される。
【００４７】
次に携帯電話機２００から撮影開始の合図が送信されてきたときの撮影処理を説明する。
【００４８】
上記した様にスルー画を表わす動画データの処理時にはシステム制御回路１１０によってＴＴＬ測距が行なわれその測距結果に基づいて測距制御手段１０３０に指示して常に合焦点に撮影レンズ１０２１の中のフォーカスレンズを配置させている。このときにモードダイヤル１０５によってリモート撮影モードが選択されていると、システム制御回路１１０は通信手段１１６に指示して位置情報で変調した照明光を被写体に向けて照射させ画角内に被写体側の人すべてが入っているかどうかを通知させている。この通知を受けて被写体側の人がその表示画面２１１上の表示により画角内に全ての人が入っていることを確認した後に携帯電話機２００側から撮影開始の合図が送信されてくるとシステム制御回路１１０は撮影処理を開始する。
【００４９】
まずシステム制御回路１１０は撮影開始の合図を受けてタイミング発生回路１２１に指示して露光開始信号をＣＣＤ固体撮像素子１２０に向けて供給させてＣＣＤ固体撮像素子１２０に露光を開始させる。ここで撮影補助光の発光が必要な場合には発光量制御手段１１２Ａに指示してＬＥＤ駆動回路１１３にＬＥＤ１１４を駆動させることによりＬＥＤ１１４から撮影補助光を発光させる。そして所定のシャッタ秒時が経過したらシステム制御回路１１０は、タイミング発生回路１２１に指示を出して今度は露光終了信号をＣＣＤ固体撮像素子１２０に向けて供給させる。
【００５０】
その露光終了信号に同期してＣＣＤ固体撮像素子１２０から露光が終了した画像データがＡ／Ｄ変換回路１３０へと出力される。このＡ／Ｄ変換回路１３０でＣＣＤ固体撮像素子１２０から出力されたアナログの画像データがデジタルの画像データに変換され、さらにこのデジタルの画像データがメモリ制御部１１１ａに制御されバスを経由してメモリ１８０に供給される。そのメモリ１８０にＣＣＤ固体撮像素子１２０が備えるすべての画素からなる画像データがすべて記憶されたら、今度はシステム制御回路１１０の制御の下にその画像データが読み出されてシステム制御回路１１０内のホワイトバランス調整部で画像データのホワイトバランス調整が行なわれる。さらにガンマ補正やＹＣ信号への変換が行なわれた画像データが、バスを介して圧縮・伸張回路１９０に供給されＹＣ信号からなる画像データが圧縮されて記憶媒体８００ここではメモリカードに記憶される。
【００５１】
なお、図１には図示されていないが図１のデジタルカメラ１には、操作内容をユーザに伝えるための表示部１１５も配備されているので図２には表示部１１５も図示されている。また、上記実施形態では、一例としてモードダイヤル１０５がリモート撮影モードに切り替えられたことを受けてシステム制御回路１１０が発光部１１に指示して照明光を照射させる構成にしてあるが、例えば携帯電話機２００側から撮影開始の合図とは別にリモート撮影を行なう旨の合図が送信されてきたときに照明光を照射させる構成にしても良く、デジタルカメラ１が三脚にセットされたときに照明光を照射させる構成にしても良い。
【００５２】
ここで、図２に示すデジタルカメラ１が備える発光部１１からどのように位置情報が携帯電話機２００に向けて送信されるかを詳細に説明する。
【００５３】
上述した様に本実施形態のデジタルカメラ１では、外部との通信を担う通信手段１１６を設けてモードダイヤル１０５がリモート撮影モードに切り替えられたことを受けてその通信手段１１６がシステム制御回路１１０の制御の下に発光量制御手段１２Ａに指示してシステム制御回路１１０からの位置情報に応じてＬＥＤ駆動回路１１３にＬＥＤ１１４を点滅駆動させることにより照明光を変調して携帯電話機２００へ向けて可視光通信による位置情報の送信を行なっている。
【００５４】
図４は、通信手段１１６が、システム制御回路１１０から画角内の人の位置情報を受け取って発光部１１が備える発光量制御手段１１２ＡおよびＬＥＤ駆動回路１１３を制御してＬＥＤ１１４を送信データに応じて点灯させたり消灯させたりしたときの照明光の変調状態を説明する図である。
【００５５】
図４（ａ）には、通信手段１１６からの指示に応じて発光量制御手段１１２ＡおよびＬＥＤ駆動回路１１３が所定の周期で高速にＬＥＤ１１４を点滅させるという変調を加えた場合の例が示されている。
【００５６】
この図４（ａ）に示す様に通信手段１１６からの指示に応じてＬＥＤ１１４の点灯と消灯とが送信する位置情報に応じて制御され変調が加えられて送信されると、受信側でその点灯と非点灯とが区別されて受信され点灯と消灯が０または１のデジタルデータとして復調されて表示画面上に位置情報に基づく位置すべてが画像となって表示される（図１参照）。また図４（ａ）に示す様にＬＥＤ１１４が撮影前に点滅しても人間の眼には点滅が視認されずに点灯したままに感じられるのでこれから撮影が行なわれようとしていることを被写体側の人達に発光により通知することができるという効果も得られる。
【００５７】
なお、図４（ａ）に示す様に点灯と消灯という２つの状態を０、１のデータに割り当てても良いが、図４（ｂ）に示す様に中間値を設けて点灯・消灯に加えて暗い点灯という状態を増やして１度に３つの状態を送信することができる様にすると、一度に送信することができる情報量が増えるので送信時間をさらに短くすることができる。この様にすると単位時間あたりのデータの送信量が増えるので一瞬のうちに位置情報を送信することができる。
【００５８】
こうしてシステム制御回路１１０が、発光部１１が備えるＬＥＤ１１４に光を発光させるとともに通信手段１１６にＬＥＤの点灯・消灯を高速に制御させることにより位置情報により変調した照明光が携帯機器２００に照射されると、可視光受信部を備える携帯電話機２００を携帯している人にその位置情報が提供される。
【００５９】
以上が図１に示すデジタルカメラ１の構成および動作である。
【００６０】
次に本発明の撮影システムの一例を構成する、撮影装置であるデジタルカメラ１と組み合わせて用いられる携帯機器ここでは携帯電話機２００の構成の一例を説明する。
【００６１】
図５〜図７は、図１に示す携帯電話機２００の構成の一例を説明する図である。
【００６２】
図５および図６は、携帯電話機２００の表面および裏面を示す斜視図である。
【００６３】
この携帯電話機２００は、上部２１０と下部２２０とからなり、折り畳み式となっている。
【００６４】
この携帯電話機２００の上部２１０には、表示画面２１１、送話口２１２、アンテナ２１３および裏面に配備されたカメラ用撮影レンズ２１４が備えられており、下部２２０には操作キー２２１や受話口２２２が備えられている。また図６に示す裏面側には可視光受光部２５３が設けられている。
【００６５】
図７は、図５、図６に外観を示す携帯電話機の内部構成を示すブロック図である。
【００６６】
この携帯電話機２００は、ＣＰＵ２３０でその全体が制御されるように構成されている。このＣＰＵ２３０には揮発性のメモリであるＲＡＭ２３１、不揮発性のメモリであるＲＯＭ２３２、図５に示す表示画面２１１を備えた表示部２３３、図４にも示す操作キー２２１、書換可能な不揮発性のメモリである書換可能ＲＯＭ２３４および電源部２３５が配備されている。
【００６７】
ＲＯＭ２３２には、ＣＰＵ２３０で実行されるプログラム等が記憶されており、また、書換可能ＲＯＭ２３４には、パケット通信によりダウンロードされたプログラムが記憶され、そのＲＯＭ２３２や書換可能ＲＯＭ２３４に記憶されたプログラムがＣＰＵ２３０で実行されることにより、この携帯電話機２００の各部の動作が制御される。またＲＡＭ２３１は外部にデータを送信するときなどの作業領域として用いられる。
【００６８】
また表示部２３３には、図５に示す表示画面２１１が備えられており、ＣＰＵ２３０の指示に応じてこの表示画面２１１上に画像が表示される。また操作キー２２１からの操作指示に応じては、ＣＰＵ２３０によってその操作に応じた処理が実行される。
【００６９】
電源部２３５には、電池（図示せず）が装填されその電池からの電力が、ＣＰＵ２３０やそのＣＰＵ２３０の制御の下にこの携帯電話機２００の各部に供給される。
【００７０】
また、この携帯電話機２００には、電話機能を担う構成要素として、図５、図６にも示すアンテナ２１３、送受信部２４１、信号処理部２４２、および通話部２４５が備えられている。この通話部２４３には、図５の受話口２２２の内部に配備されたマイクロホン２４３ａと送話口２１２の内部に配備されたスピーカ２４３ｂが含まれている。
【００７１】
送受信部２４１は、アンテナ２１３での電波の送受信を担う回路要素であり、アンテナ２１３での電波受信により送受信部２４１で得られた信号は信号処理部２４２に入力されて信号処理を受けて通話部２４３のスピーカ２４３ｂから音声として出力される。また、通話部２４３のマイクロホン２４３ａでピックアップされた音声は信号処理部２４２で信号処理を受け送信部２４１を介して電波２１３から電波として送信される。
【００７２】
また、この携帯電話２００はパケット通信機能も備えており、アンテナ２１３および送受信部２４１を介して受信またはパケット信号は、信号処理部２４２で適切な信号処理を受けた後一旦ＲＡＭ２３１に格納され、あるいはダウンロードされたプログラムの場合は書換可能ＲＯＭ２３４に記憶され、操作キー２２１からの指示を受けたＣＰＵ２３０により、そのＲＡＭ２３１内のパケットデータが表示部２３３の表示画面２１１（図５参照）に表示され、あるいは書換可能ＲＯＭに記憶されたプログラムが実行される。
【００７３】
また操作キー２２１で作成されたパケット通信文書等はその作成時点ではＲＡＭ２３１に一旦格納され、操作キー２２１からの送信指示に応じて信号処理部２４１に送られて送信用に信号処理を受け、送受信部２４１およびアンテナ２１３を介して電波として送信される。
【００７４】
またこの携帯電話機２００には、撮影機能が搭載されていて、その撮影機能を担う要素として、撮影部２５１、画像処理部２５２が備えられている。
【００７５】
撮影部２５１には、図５に示す撮影レンズ２１４および撮影素子２５１ａが備えられており、撮影レンズを経由して取り込まれた被写体が撮影素子２５１ａで提示されて画像データが生成される。この撮影素子２５１ａで得られた画像データは画像処理部２５２で処理されてデジタルの画像データに変換され、ＣＰＵ２３０を介して一旦ＲＡＭ２３１に格納され操作キー２２１の操作に応じて表示部２３１の表示画面２１１に表示される。
【００７６】
またこの様な機能を有する携帯電話機２００に、本実施形態では可視光受光部２５３が配備されていてその可視光受光部２５３によって上記デジタルカメラ１が備える発光部１１からの照明光に含まれる情報が抽出され抽出された情報がＣＰＵ２３０の制御の下に書き換え可能ＲＯＭ２３４やＲＡＭ２３１に記憶される。この書き換え可能ＲＯＭ２３４やＲＡＭ２３１に記憶されたデータは、ＣＰＵ２３０により再び読み出されて表示部２３３に供給され表示画面２１１（図５参照）上にそのデータに基づく画像が表示される。
【００７７】
さらに本実施形態の携帯電話機２００には、リモコン送信部２５４が備えられていて例えば操作キー２２１のうちのいずれかが操作されると、デジタルカメラ１側に撮影開始の合図が送信される様にもなっている。
【００７８】
いままで説明してきた図１〜図４に示すデジタルカメラ１と図５〜図７の携帯電話機２００とを組み合わせることによって、デジタルカメラ１が備えるＬＥＤ１１４から発光される、画角内の人の位置情報で変調された照明光により上記携帯電話機２００を携帯している人にデジタルカメラ１が捉えている画角内にいる人の位置情報が伝えられる。そうすると、図１に示す様に、被写体側の人が、画角内に入っているかどうかが携帯電話機２００が備える表示画面２１１上に表示されるので、被写体側の人はその表示画面２１１を見て全員がフレームインしているかどうかを確認することができる。こうして被写体側の人達によって全員がフレームインしていることが確認されたら、携帯電話機２００から撮影開始の合図がデジタルカメラ１に送信され集合撮影が行なわれる。
【００７９】
以上説明した様に、ファインダによるフレーミングが行なわれた後、リモコン操作が行なわれるまでの間中、被写体側の人がフレームインしていることを確認することができる撮影システムが実現する。
【００８０】
ここで、集合撮影が行なわれるときには、撮影される側の人の人数が数えられていることが多いので、上記実施形態では携帯電話機に向けて送信している位置情報の代わりに人数を送信する構成にしても良い。
【００８１】
図８は、位置情報の代わりに人数を送信する構成にした第２の実施形態を説明する図である。
【００８２】
この第２実施形態においても、図１〜図４に示すデジタルカメラ１と、図５〜図７に示す携帯電話機２００が組み合わせて用いられるとする。
【００８３】
上記第１実施形態の様にデジタルカメラ１から携帯電話機２００に向けて位置情報を送信しても良いが、位置情報の代わりに画角内の人数を表わす情報を送信しても良い。そうすると、図８に示す様に人数が表示画面２１１上に表示されその人数が少ない場合にはフレームアウトしている人がいるとしてその人を画角内に誘導することができる。なお、図２に示すシステム制御回路１１０が、顔検出手段１４２からの顔が検出された位置情報に基づいて人数をカウントする処理を行なうことは容易い。
【００８４】
ところで、最近のデジタルカメラや携帯電話機等にはＩｒＤＡ規格に準拠した赤外線通信装置を備えているものが多い。このＩｒＤＡ規格に準拠した赤外線通信装置がデジタルカメラと携帯電話機との双方に備えられている場合には、赤外線通信装置を用いて位置情報や人数情報を送信しても良い。さらに赤外線通信装置が備えられている場合には、携帯電話機から赤外線を使って撮影開始の合図を送信することもできる。
【００８５】
図９〜図１２は、第３の実施形態を説明する図である。
【００８６】
図９には、デジタルカメラ１Ａと携帯電話機機２００Ａとの双方に赤外線通信装置が配備されているので赤外線通信機の中の赤外線発光部から発光される赤外線を使ってデジタルカメラ１Ａから携帯電話機２００Ａへ情報を送信する構成にした場合の撮影システムの構成例が示されている。図１０には、図９に示す、赤外線通信装置１１９が配備されたデジタルカメラ１Ａの内部構成が示されている。さらに図１１には、図９に示す、赤外線通信装置２５３１が配備された携帯電話機２００Ａの外観が示されており、図１２には、図１１に示す、赤外線通信装置２５３１が配備された携帯電話機２００Ａの内部構成が示されている。
【００８７】
図９に示す撮影システムの構成は、図１に示す構成例と同様の構成であり、図１０のブロック図に示す構成は、図２の構成のうちの変調機能を有する通信手段１１６と可視光を発光する可視光発光部１１４とリモコン受信手段１１８で受信した情報を復調する機能が赤外線通信装置２５３１に割り当てられて通信手段１１６がコネクタ１１７に接続されたアンテナを介しての通信機能のみを持つ通信手段１１６Ａに置き換えられ、さらにリモコン受信手段１１８が省略された以外は、図２の構成と同じである。また図１１の構成は、図６の可視光受光部２５３が赤外線通信装置２５３１に置き換えられた以外は、図６の構成と同じである。さらに図１２の構成は、図７の可視光受光部２５３が赤外線通信部２５３１に置き換えられリモコン送信部２５４が省略された以外は、図７に示す内部構成と同じである。なお、本実施形態においてはデジタルカメラ１Ａが備える赤外線通信装置１１９と携帯電話機２００Ａが備える赤外線通信装置２５３１とには、それぞれ、赤外線発光部と赤外線受光部との双方が配備され、デジタルカメラ１Ａと携帯電話機２００Ａとの双方ともに赤外線発光部から変調された赤外線を発光することも、赤外線受光部で変調された赤外線を受光することもできるとする。
【００８８】
本実施形態では、デジタルカメラ１Ａから人の位置情報で変調された赤外線が携帯電話機２００Ａから送信されくると携帯電話機２００Ａによってその変調された赤外線が赤外線通信装置２５３１で受信され受信された赤外線の中から位置情報が抽出され抽出された位置情報を表わす画像が表示画面２１１上に表示される。さらに撮影者でもある被写体側の人によって表示画面２１１上の表示により画角内の位置が確認された後においては携帯電話機２００Ａから赤外線により撮影の開始の合図がデジタルカメラ１Ａへ送信され撮影が行なわれる。
【００８９】
この様に第１、第２の実施形態の可視光通信の代わりに赤外線通信を用いても良い。
【００９０】
なお、本実施形態では、ＬＥＤから照射される照明光を変調して情報を送信する送信機を備えたデジタルカメラと変調された照明光を受光する受光機を備えた携帯電話機とを組み合わせた例と、ＩｒＤＡ等の通信規格に準拠した赤外線通信装置を備えたデジタルカメラと赤外線通信装置を備えた携帯電話機を組み合わせた例を示したが、ＢＬＵＥＴＯＯＴＨなどの通信規格に準拠した通信装置を備えた撮影装置とその撮影装置と同じ通信規格に準拠した通信装置を備えた携帯機器とを組み合わせても良い。
【図面の簡単な説明】
【００９１】
【図１】本発明の一実施形態である撮影システムを説明する図である。
【図２】図１のデジタルカメラ１の内部の構成を示す構成ブロック図である。
【図３】システム制御回路１１０が行なう画角内に在る顔の位置検出の処理の概要を説明する図である。
【図４】通信手段１１６が、システム制御回路１１０から位置情報を受け取って発光部１１が備える発光量制御手段１１２Ａを通してＬＥＤ駆動回路１１３にＬＥＤ１１４を駆動させることによってＬＥＤ１１４をその位置情報に応じて点灯させたり消灯させたりしたときの変調状態を説明する図である。
【図５】携帯電話機２００の表面を示す斜視図である。
【図６】携帯電話機２００の裏面を示す斜視図である。
【図７】図５、図６に外観を示す携帯電話機２００の内部構成を示すブロック図である。
【図８】第１実施形態が送信していた位置情報の代わりに人数を送信する構成に変更した第２の実施形態を説明する図である。
【図９】本発明の第３の実施形態である撮影システムを説明する図である。
【図１０】図９のデジタルカメラ１Ａの内部構成を示す構成ブロック図である。
【図１１】図９に示す携帯電話機２００Ａの外観を示す斜視図である。
【図１２】図１１に外観を示す携帯電話機２００Ａの内部構成を示すブロック図である。
【符号の説明】
【００９２】
１  １Ａ  デジタルカメラ
１００    レンズ鏡胴
１０１    ファインダ
１０２    発光窓
１０４    レリーズボタン
１０５    撮影モードダイヤル
１０６    単写／連写スイッチ
１０７    画像表示ＯＮ／ＯＦＦスイッチ
１１０    システム制御回路
１１６    通信手段
１１    発光部
１１２Ａ    発光量制御手段
１１３    ＬＥＤ駆動回路
１１４    発光ダイオード
２００  ２００Ａ  携帯電話機
２１１    表示画面
【図１】
2008098832.tif 000003
【図２】
2008098832.tif 000004
【図３】
2008098832.tif 000005
【図４】
2008098832.tif 000006
【図５】
2008098832.tif 000007
【図６】
2008098832.tif 000008
【図７】
2008098832.tif 000009
【図８】
2008098832.tif 000010
【図９】
2008098832.tif 000011
【図１０】
2008098832.tif 000012
【図１１】
2008098832.tif 000013
【図１２】
2008098832.tif 000014